(57)【特許請求の範囲】
【請求項１】
端子金具を後方から挿入可能な複数のキャビティを有するハウジングと、
前記ハウジングに設けられた組付空間へ前方から組み付けられるリテーナとを備えてなり、
前記キャビティには、前記端子金具に係止することでこれを抜け止めするランスが設けられ、前記リテーナが前記ランスの撓み空間に進入することで前記ランスが前記端子金具から係止を解除するように撓み変形することを規制するようにしたコネクタにおいて、
前記ハウジングにおける前記組付空間の奥端側からは、前記各キャビティの前部を構成するキャビティタワーが他のキャビティとは独立した形態で前方へ突設されるとともに、隣り合う前記キャビティタワー間には、前記組付空間の奥端よりも前方位置に、前記両キャビティタワー同士を連結する連結部が形成されているとともに、
前記キャビティタワーの上面は開口しており、その開口部を上下に撓み変形可能な前記ランスが上方から覆うとともに、前記キャビティタワーの両側壁の上端面と前記ランスの側縁部とが上下に隙間を空けて対向する形態とされ、
かつ前記リテーナは、前記組付空間内に収容され前記ランスの撓み変形を規制する本組付け位置と、前記組付空間から前方に退避し前記ランスの撓み変形を許容する仮組付け位置とに組付け可能とされるとともに、前記キャビティタワーを嵌合可能な嵌合部を備え、この嵌合部が前記仮組付け位置において前記キャビティタワーの先端部の下方向及び左右方向への変位を規制する構成としたことを特徴とするコネクタ。
【請求項２】
互いに隣り合う前記キャビティタワーと前記連結部によって連結された形態で一列に並んだ前記キャビティタワーのうち両端に位置する前記キャビティタワーには、前記組付空間の奥端側から前方へ延びる補強リブが形成されていることを特徴とする請求項１に記載のコネクタ。
【発明の詳細な説明】
【０００１】
【発明の属する技術分野】
本発明は、端子金具を二重係止するフロントリテーナを備えたコネクタに関する。
【０００２】
【従来の技術】
フロントリテーナを備えたコネクタとして、端子金具を挿入可能な複数のキャビティを有したハウジングと、このハウジングの組付空間に組み付け可能なフロントリテーナとを備えてなり、ハウジングには組付空間の奥端側から各キャビティの前部を構成するキャビティタワーが互いに独立した形態で突設された構成のものがある。また、ハウジングの各キャビティには、端子金具に対し弾性的に係止可能なランスが設けられ、フロントリテーナを組付空間に組み付けたときには、フロントリテーナがランスの撓み空間に進入して端子金具からの係止解除方向への撓み変形が規制されるようになっている。なお、フロントリテーナを備えたコネクタの一例としては、例えば実開平０４−１０２５７６号公報に記載されたものがある。
【０００３】
【発明が解決しようとする課題】
しかしながら、上記従来のコネクタでは、各キャビティタワーを支持するための構成は設けられておらず、リテーナを正規位置に組み付ける前の段階において、端子金具の後端部に接続された電線が引っ張られるなどして端子金具に対し後方への引張力が作用した場合に、端子金具がランスに引っ掛かった状態で傾き、それに伴ってキャビティタワーが撓み変形してしまうことがあった。このとき、キャビティタワーが大きく変形すると、端子金具の変位が大きくなってランスとの係止が外れ易くなるため、端子金具に対する抜止め機能の信頼性が低下するという問題があった。
本発明は、上記事情に鑑みてなされたもので、その目的は、端子金具に対する抜止め機能の信頼性を向上させることの可能なコネクタを提供するところにある。
【０００４】
【課題を解決するための手段】
上記の課題を解決するための請求項１の発明に係るコネクタは、端子金具を後方から挿入可能な複数のキャビティを有するハウジングと、前記ハウジングに設けられた組付空間へ前方から組み付けられるリテーナとを備えてなり、前記キャビティには、前記端子金具に係止することでこれを抜け止めするランスが設けられ、前記リテーナが前記ランスの撓み空間に進入することで前記ランスが前記端子金具から係止を解除するように撓み変形することを規制するようにしたコネクタにおいて、前記ハウジングにおける前記組付空間の奥端側からは、前記各キャビティの前部を構成するキャビティタワーが他のキャビティとは独立した形態で前方へ突設されるとともに、隣り合う前記キャビティタワー間には、前記組付空間の奥端よりも前方位置に、前記両キャビティタワー同士を連結する連結部が形成されているとともに、前記キャビティタワーの上面は開口しており、その開口部を上下に撓み変形可能な前記ランスが上方から覆うとともに、前記キャビティタワーの両側壁の上端面と前記ランスの側縁部とが上下に隙間を空けて対向する形態とされ、かつ前記リテーナは、前記組付空間内に収容され前記ランスの撓み変形を規制する本組付け位置と、前記組付空間から前方に退避し前記ランスの撓み変形を許容する仮組付け位置とに組付け可能とされるとともに、前記キャビティタワーを嵌合可能な嵌合部を備え、この嵌合部が前記仮組付け位置において前記キャビティタワーの先端部の下方向及び左右方向への変位を規制する構成としたところに特徴を有する。
【０００５】
請求項２の発明は、請求項１に記載のものにおいて、互いに隣り合う前記キャビティタワーと前記連結部によって連結された形態で一列に並んだ前記キャビティタワーのうち両端に位置する前記キャビティタワーには、前記組付空間の奥端側から前方へ延びる補強リブが形成されているところに特徴を有する。
【０００７】
【発明の作用および効果】
請求項１の発明によれば、隣り合うキャビティタワー同士が連結部によって連結されることで、その変形が規制される。そのため、端子金具に対し後方への引張力が作用した場合に、キャビティタワーが変形して端子金具が抜けてしまうことを防止できる。従って、端子金具に対する抜止め機能の信頼性が向上する。
また、リテーナを仮組付け位置に組み付けた状態において、キャビティタワーの先端部が嵌合部内に進入することで、先端側の変位が規制されるため、キャビティタワーの変形がより確実に防止される。
【０００８】
請求項２の発明によれば、一列に並んだキャビティタワーのうち両端位置のものは、片側のキャビティタワーのみと連結されることになるため、両隣りのキャビティタワーと連結された他のキャビティタワーと比較すると強度不足が懸念される。しかし、本構成によれば、両端位置のキャビティタワーに前後方向に沿った補強リブが形成されることで強度が確保される。
【００１０】
【発明の実施の形態】
［実施形態１］
以下、本発明を具体化した実施形態１を図１乃至図１２を参照して説明する。本実施形態のコネクタは、図１に示すように、ハウジング１０、リテーナ３０及び端子金具５０を備えて構成されている。
【００１１】
ハウジング１０は合成樹脂製であって、その内部には複数のキャビティ１１が前後に開口して形成されている。これらのキャビティ１１は、図２にも示すように、上下２段に分かれるとともに、各段において横幅方向に図示５個ずつ並んだ形態で配置されている。ハウジング１０の前部には、相手の雌コネクタ（図示せず）を嵌合可能なフード部１２が設けられ、そのフード部１２の奥面１２Ａにはリテーナ３０を嵌入可能な組付空間１３が凹んで形成されている。
【００１２】
組付空間１３の奥端面１３Ａからは、各キャビティ１１の前部を構成するキャビティタワー１４が組付空間１３内に突出して形成されている。より詳細には、図３にも示すように、上段側のキャビティタワー１４は、左右一対の側壁１６と、この両側壁１６の前端部同士を連結する前面壁１７とによって構成されており、下段側のキャビティタワー１４は、左右一対の側壁１６と、この両側壁１６の前端部同士を連結する前面壁１７と、両側壁１６及び前面壁１７の下縁に連なる底壁１８とによって構成されている。各キャビティタワー１４は、他のキャビティタワー１４とは独立して個別に前方へ突出した形態となっている。なお、前面壁１７には、端子金具５０のタブ５２をキャビティ１１外へ突出させるためのタブ孔１９が形成されている。また、前面壁１７の前端面は、フード部１２の奥面１２Ａに対し僅かに奥側（後側）に位置している。
【００１３】
各キャビティタワー１４の上面、即ち両側壁１６の間の領域は開口した形態となっていて、この開口部における略後半分領域は、ハウジング１０に形成したランス２１によって上から覆われている。ランス２１の左右両側縁部と両側壁１６の上端縁との間には、前後方向のスリット状をなす隙間が空けられている。この側壁１６の上端面、即ちランス２１の側縁部の下面と対向する面は受け面２２とされている。この受け面２２は、キャビティ１１に対する端子金具５０の挿入方向（水平方向）と略並行をなしている。また、この受け面２２は、ランス２１の延出端部（前端部）即ち端子金具５０に対する係止部２３が端子金具５０側（下方）へ変位するのを規制するための変位規制部としても機能する。
【００１４】
ハウジング１０には、組付空間１３の奥端面１３Ａからキャビティ１１の上面の開口部に沿って前方へ片持ち状に延出した形態であって、上下方向への弾性撓みを可能とされたランス２１が形成されている。このランス２１は、横断面形状（前方から視た形状）が左右対称な凸字形をなしており、幅方向（左右方向）中央は上下の厚さ寸法の大きい肉厚部２１Ａとされ、その肉厚部２１Ａの左右両側は上下の厚さが肉厚部２１Ａよりも薄い肉薄部２１Ｂとされている。ランス２１の下面（端子金具５０と対応する面）においては肉厚部２１Ａと肉薄部２１Ｂの下面同士が面一状に連続するが、ランス２１の上面（後述する撓み空間２５に臨む面）においては、肉厚部２１Ａが肉薄部２１Ｂよりも上方へ突出した形態となっている。
【００１５】
かかるランス２１の前端下縁部は、端子金具５０に係止してその端子金具５０を抜止めするための係止部２３となっている。ランス２１が弾性撓みしない自由状態においては、係止部２３がキャビティ１１内における端子金具５０の挿入空間内に突出した状態、即ちキャビティ１１の天井面よりも下方へ突出した状態となる。また、肉薄部２１Ｂの上面（撓み空間２５と対応する面）は、前下がりに傾斜したガイド斜面２４となっており、このガイド斜面２４には後述するリテーナ３０が当接されるようになっている。
【００１６】
各キャビティ１１のランス２１の上方には、そのランス２１の上方への弾性撓みを許容するための撓み空間２５が、ハウジング１０の前端面に開口する形態で形成されている。下段側のランス２１の撓み空間２５は、ランス２１の肉厚部２１Ａと対応する領域において上段側のキャビティ１１に連通されており、この下段側のランス２１は、上段側のキャビティ１１と下段側のキャビティ１１との間を仕切るように位置している。
【００１７】
さて、左右に隣り合うキャビティタワー１４間には、その基端側において側壁１６同士を連結する連結部２６が形成されている。図３から図５にも示すように、この連結部２６は、側壁１６と同じ厚み寸法を有しているとともに、組付空間１３の奥端面１３Ａから所定寸法前方へ突出した形態である。また、図２に示すように、上下各段に横一列に並んだキャビティタワー１４のうち、左右両側端に位置するキャビティタワー１４においては、その幅方向外側に前後方向に沿った補強リブ２７が張り出して形成されている。この補強リブ２７は、組付空間１３の奥端面１３Ａからキャビティタワー１４の前端に至るまで形成されている。
【００１８】
リテーナ３０は合成樹脂製であって、図１，図４，図６，図７に示すように、前面壁３１の後面側における下縁部及び左右両側縁部から後方へ向けて、断面コの字状をなす周壁部３２が突出して形成されている。リテーナ３０は、ハウジング１０に対して前方から組み付けられ、前記の組付空間１３内に全体が収容される本組付け位置（図１０から図１２を参照）と、組付空間１３から前方へ退避した仮組付け位置（図８及び図９を参照）とに組み付けられるようになっている。周壁部３２の前後方向の長さ寸法は、組付空間１３の深さ寸法とほぼ等しくされており、リテーナ３０を前記の本組付け位置に組み付けたときには、周壁部３２の後端面が組付空間１３の奥端面１３Ａの位置とほぼ一致するとともに、前面壁３１の前面がフード部１２の奥面１２Ａとほぼ一致する。また、図４に示すように、周壁部３２の左右両内側面の後端付近には、上下一対ずつ係合爪３３が突出して形成されている。一方、上下のキャビティタワー１４のうち左右両側端位置のキャビティタワー１４における外側の側壁１６には、係合溝２８が前後に延びて形成されており、ここにリテーナ３０の係合爪３３を係合させることで、リテーナ３０が正規組み付け位置から仮組付け位置までの間で変位可能に保持されるようになっている。
【００１９】
リテーナ３０の前面壁３１の後面側には、各キャビティタワー１４を、それぞれ、個別に上下左右方向へのガタ付きなく嵌合させるための嵌合部３４が形成されている。そして、キャビティタワー１４は上下左右に整列されていることから、これら角筒状をなす嵌合部３４の集合体として見ると、全体として格子状をなしている。個々の嵌合部３４は、略角筒状をなし、キャビティタワー１４の前端部を包囲するように嵌合される。なお、リテーナ３０を仮組付け位置に組み付けた状態では、キャビティタワー１４の先端部のみが嵌合部３４内に進入して、その先端部の下方向及び左右方向への変位が規制されるように設定されている。また、リテーナ３０の前面壁３１には、端子金具５０のタブ５２を貫通させるための貫通孔３６がキャビティ１１のタブ孔１９と対応するように形成されている。また、周壁部３２の内側面の後端から前後方向に沿って前面壁３１を貫通するようにして、両側端位置のキャビティタワー１４に設けられた補強リブ２７を受け入れて係合可能な受入溝３７が形成されている。
【００２０】
図４に示すように、前面壁３１の幅方向中央に位置する上下の嵌合部３４の内側面には、ロック突起３８が突設されている。一方、対応する幅方向中央のキャビティタワー１４の側壁１６には、溝状のロック受部２９が形成されており、ここにリテーナ３０のロック突起３８を係合させることで、リテーナ３０が正規組み付け位置に保持されるようになっている。なお、リテーナ３０をハウジング１０に対し本組付け位置に組み付けた状態では、嵌合部３４の前端面と前記した連結部２６の前端面２６Ａとがほぼ一致するように設定されている。
【００２１】
各嵌合部３４の上部には、それぞれ、各ランス２１の肉薄部２１Ｂと対応する嵌入部３９が形成されている。この嵌入部３９は嵌合部３４（キャビティタワー１４を包囲する部分）の一部を構成するものである。嵌入部３９の下面には、ランス２１のガイド斜面２４と対応する押圧斜面４０が形成されている。嵌入部３９には、ランス２１の肉厚部２１Ａとの干渉を回避するための逃がし溝４１が形成されている。
【００２２】
リテーナ３０が仮組付け位置にある状態では、嵌入部３９はランス２１よりも前方に離れた位置にあるが、リテーナ３０を本組付け位置へ押し込むと、各嵌入部３９が撓み空間２５に嵌入される。上段側の撓み空間２５に嵌入された嵌入部３９は、その撓み空間２５の天井面とランス２１の肉薄部２１Ｂの上面との間に割り込み、リテーナ３０の押圧斜面４０がランス２１のガイド斜面２４を下方へ押圧する。下段側の撓み空間２５に嵌入した嵌入部３９は、上段のキャビティ１１を構成する側壁１６の下端面と肉薄部２１Ｂの上面との間に割り込み、リテーナ３０の押圧斜面４０がランス２１のガイド斜面２４を下方へ押圧する。これにより、各ランス２１は、それぞれ、自由状態よりも端子金具５０側（下方）の位置へ強制的に押し下げられ、撓み空間２５側（上方）への撓みを規制される。
【００２３】
端子金具５０は、所定形状に打ち抜いた金属板材を曲げ加工して成形したものであって、全体として前後方向に細長い形態となっている。端子金具５０の長さ方向における略中央部分は角筒部５１となっており、角筒部５１からはタブ５２が前方に延出されており、端子金具５０の後端部の電線圧着部５３には電線５４が圧着により接続されている。かかる端子金具５０は後方から各キャビティ１１に挿入される。
【００２４】
角筒部５１の上面板には、その前後方向における一部を全幅に亘って切欠した形態の上部切欠部５５が形成されており、角筒部５１の左右両側板の上端部には、上面板の上部切欠部５５と対応する側部切欠部５６が形成されている。これらの切欠部５５，５６の前端縁は、ランス２１の係止部２３に対して前方から係止される抜止部５７となっている。側部切欠部５６の水平に延びる上縁は、ランス２１の延出端部の係止部２３が端子金具５０側へ変位することを規制するための変位規制部５８となっている。この端子金具５０の変位規制部５８は、ハウジング１０（キャビティ１１を構成する側壁１６）の受け面２２とほぼ同じ高さとされている。
【００２５】
次に、本実施形態の作用を説明する。
本実施形態のコネクタの組付けに際しては、まず、リテーナ３０をハウジング１０の組付空間１３へ前方から組み付ける。周壁部３２が組付空間１３内に挿入されるとともに、両側端位置のキャビティタワー１４の補強リブ２７が受入溝３７内に進入して係合状態となって、リテーナ３０の挿入姿勢が案内される。リテーナ３０が仮組付け位置に押し込まれると、係合爪３３が係合溝２８内に係合する（図８，図９参照）。この仮組付け状態では、嵌入部３９がランス２１の前端よりもさらに前方に離れているため、ランス２１の撓み空間２５側への弾性撓みは許容されている。また、キャビティタワー１４の先端部が嵌合部３４の内側に進入して、キャビティタワー１４先端部の下方向及び左右方向への撓み変形が規制されている。
【００２６】
この状態から各キャビティ１１に端子金具５０を挿入する。挿入が進んで正規挿入位置に近くなると、角筒部５１の上面の前端がランス２１の下面に当接し、それ以降は、端子金具５０の挿入が進むのに伴ってランス２１が上方へ弾性撓みさせられて撓み空間２５内に進出する。
この半挿入状態を経た端子金具５０が正規挿入位置に到達すると、ランス２１が下方へ弾性復帰し、その前端の係止部２３が角筒部５１の切欠部５５，５６内に落ち込み、抜止部５７に対して後方から係止する。このランス２１の係止により、端子金具５０は、後方への遊動を規制された抜止め状態とされる。尚、角筒部５１がキャビティ１１の前面壁１７に当接することにより、端子金具５０は正規挿入位置において前止まりされる。
【００２７】
このランス２１によって抜止めされている状態では、ランス２１が弾性撓みしない自由状態となっているとともに、ランス２１の係止部２３と端子金具５０の変位規制部５８との間、及び係止部２３と受け面２２との間に、それぞれ上下方向の隙間が空いている。したがって、この隙間の分だけランス２１は下方へ弾性撓みすることができる。
【００２８】
この状態において、電線５４が引っ張られるなどして端子金具５０に対し後方への引張力が作用した場合には、端子金具５０が傾くとともにキャビティタワー１４が下方向や左右方向に撓み変形して、ランス２１との係止が解除され、端子金具５０が抜けてしまうことが懸念される。しかしながら、本実施形態では、隣り合うキャビティタワー１４の基端側が連結部２６によって連結されているため、キャビティタワー１４の基端側の変形が規制される。また、キャビティタワー１４の先端部がリテーナ３０の嵌合部３４内に進入した状態であることで、その先端部の変形が規制される。さらに、両側端位置のキャビティタワー１４については、補強リブ２７が形成されていることで、その変形が規制される。これらにより、キャビティタワー１４の変形が規制されるため、端子金具５０がキャビティ１１から抜けることが防止できる。
【００２９】
さて、全ての端子金具５０を挿入し終わったら、仮組付け位置のリテーナ３０を後方へ押し込んで図１０から図１２に示す本組付け位置とする。リテーナ３０を押し込む過程では、各撓み空間２５内に嵌入部３９が進入してその押圧斜面４０をランス２１のガイド斜面２４に当接させ、その後は、リテーナ３０の押し込みが進むのに伴なって押圧斜面４０がガイド斜面２４を下方へ押し動かし、ランス２１は、自由状態から端子金具５０側（下方）へ強制的に撓まされて前下がりの姿勢となる。このランス２１の変位により、自由状態のときに比べると、ランス２１の係止部２３と端子金具５０の抜止部５７との間の係止代（上下方向における係止領域）が増大する。また、ランス２１は、その肉薄部２１Ｂを嵌入部３９によって上から押さえつけられているため、撓み空間２５側（上方）への弾性撓みを規制され、端子金具５０に係止した状態に保持される。これにより、端子金具５０は二重係止状態となって確実な抜止めがなされる。
【００３０】
リテーナ３０を本組付け位置に押し込んだ状態では、ロック突起３８がロック受部２９内に係合することで、リテーナ３０が同位置に保持される。また、嵌合部３４が、各キャビティタワー１４に対し、仮組付け位置におけるよりも深く外嵌するため、キャビティタワー１４が上下左右の各方向への変形がより確実に防止される。
【００３１】
また、この状態で端子金具５０に後方への強い引張力が作用した場合には、ランス２１が、その係止部２３と撓みの支点（ランス２１の後端）との間の部分を撓み空間２５側へ膨出させるような形態で座屈変形することが懸念される。しかしながら、本実施形態では、リテーナ３０がランス２１を押し下げて前傾姿勢にした状態のときに、リテーナ３０の嵌入部３９が、ランス２１の上面に対して係止部２３よりも後方（ランス２１の撓みの支点となる後端よりは前方）の位置で上から当接しているとともに、ランス２１の係止部２３が、受け面２２及び変位規制部５８に当接することにより下方へ変位を規制されている。したがって、端子金具５０及び係止部２３に後方への引張力が付与されても、ランス２１は座屈変形する虞がない。
【００３２】
上述のように本実施形態においては、隣り合うキャビティタワー１４同士が連結部２６によって連結されることで、その変形が規制される。そのため、端子金具５０に対し後方への引張力が作用した場合に、キャビティタワー１４が変形して端子金具５０が抜けてしまうことを防止できる。従って、端子金具５０に対する抜止め機能の信頼性が向上する。
特に本実施形態では、連結部２６の前端面２６Ａが本組付け位置におけるリテーナ３０の嵌合部３４の前端とほぼ一致するように設定されているため、リテーナ３０と組付空間１３の奥端面１３Ａとの間のデッドスペースがなくなり、スペース的な無駄をなくすことができる。
【００３３】
また、横一列に並んだキャビティタワー１４のうち両端位置のものは、片側のキャビティタワー１４のみと連結されることになるため、両隣りのキャビティタワー１４と連結された他のキャビティタワー１４と比較すると変形に対する強度の不足が懸念される。しかし、本実施形態によれば、両端位置のキャビティタワー１４に前後方向に沿った補強リブ２７が形成されることで強度が確保される。また、この補強リブ２７がリテーナ３０の受入溝３７に係合することで、リテーナ３０の挿入が案内されるため、組み付けを円滑に行うことができる。
【００３４】
さらに、リテーナ３０を仮組付け位置に組み付けた状態において、キャビティタワー１４の先端部が嵌合部３４内に進入することで、先端側の変位が規制されるため、キャビティタワー１４の変形がより確実に防止される。
【００３５】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では、雄タブを有する雄側端子金具が挿入される雄コネクタに適用した例を説明したが、本発明は、雄タブを有しない雌側端子金具が挿入される雌コネクタにも適用することができる。
（２）上記実施形態では、連結部が隣り合う一対のキャビティタワーの基端部のみを連結するような形態としたが、本発明によれば、連結部が隣り合う一対のキャビティタワーの先端部や中間部分を橋渡し状に連結するような構成としても良い。
（３）上記実施形態では、横一列に並んだキャビティタワーを連結部により連結したが、本発明によれば、上下に並んだキャビティタワーを連結することも可能である。
【図面の簡単な説明】
【図１】本実施形態におけるコネクタの分解側断面図
【図２】ハウジングの正面図
【図３】キャビティタワーを示す部分拡大斜視図
【図４】ハウジング及びリテーナの組み付け前の状態を示す平断面図
【図５】ハウジングの側断面図
【図６】リテーナの斜視図
【図７】リテーナの背面図
【図８】リテーナを仮組付け位置に組み付けた状態の部分拡大側断面図
【図９】その平断面図
【図１０】リテーナを本組付け位置に組み付けた状態の側断面図
【図１１】その部分拡大側断面図
【図１２】その部分拡大平断面図
【符号の説明】
１０…ハウジング
１１…キャビティ
１３…組付空間
１４…キャビティタワー
２１…ランス
２６…連結部
２７…補強リブ
３０…リテーナ
３４…嵌合部
５０…端子金具
【図１】
0004178000.tif 000002
【図２】
0004178000.tif 000003
【図３】
0004178000.tif 000004
【図４】
0004178000.tif 000005
【図５】
0004178000.tif 000006
【図６】
0004178000.tif 000007
【図７】
0004178000.tif 000008
【図８】
0004178000.tif 000009
【図９】
0004178000.tif 000010
【図１０】
0004178000.tif 000011
【図１１】
0004178000.tif 000012
【図１２】
0004178000.tif 000013